(57)【要約】  【課題】電話に出る前に、通話を行うかどうかの判断をより的確に行うことができる電話装置を提供する。  【解決手段】  画像合成手段７３は、送信元の位置情報を表す画像と送信元の情報を表す画像と送信先の情報を表す画像とを合成する。画像符号化手段７４は、この合成画像を符号化する。音声符号化手段７７は、送信元及び送信先の情報を表す音声を符号化する。多重化手段７６は、符号化合成画像と符号化音声とを多重化する。接続制御手段９は、送信先の電話装置のオフフック前に、この多重化信号を送信する。送信先の電話装置では、送信元及び送信先の情報を表す画像をオフフック前に表示でき、送信元及び送信先の情報を表す音声をオフフック前に出力できる。【選択図】  図１
2006005528.tif 000002
【特許請求の範囲】
【請求項１】
送信元の位置情報を取得する位置情報取得手段と、
前記位置情報取得手段が取得した位置情報を表す画像を送信先のオフフック前に、送信先へ送信する送信手段とを備える電話装置。
【請求項２】
送信元に関する画像を記憶する記憶手段と、
送信元の位置情報を取得する位置情報取得手段と、
前記記憶手段が記憶する送信元に関する画像と前記位置情報取得手段が取得した位置情報を表す画像とを合成する合成手段と、
前記合成手段が合成した画像を、送信先のオフフック前に送信先へ送信する送信手段とを備える電話装置。
【請求項３】
前記合成手段は、前記位置情報取得手段が取得した位置情報を表す画像を他の画像と重なり合わないように合成する請求項２記載の電話装置。
【請求項４】
前記位置情報取得手段が取得した位置情報を表す画像は、地図画像である請求項１から３記載の電話装置。
【請求項５】
送信元の位置情報を取得するステップと、
取得した位置情報を表す画像を送信先のオフフック前に、送信先へ送信するステップとを含む通信方法。
【請求項６】
送信元に関する画像を記憶するステップと、
送信元の位置情報を取得するステップと、
記憶した送信元に関する画像と取得した位置情報を表す画像とを合成するステップと、
合成した画像を、送信先のオフフック前に送信先へ送信するステップとを含む通信方法。
【発明の詳細な説明】
【技術分野】
【０００１】
本発明は、音声通話の機能に送信元の情報を画像で送信先に伝える機能を追加した電話装置及び通信方法に関するものである。
【背景技術】
【０００２】
現代社会において、電話による悪質なセールス、ストーカーによる悪質な電話など、電話に関する様々な問題が発生している。従って、通話前に、発信者が何者であるかを確認して、安心して電話に出たいという要望が強い。
【０００３】
そこで、日本国において、発信者名と発信電話番号とを、相手方の電話装置に表示するサービスを開始する旨の広告が、２００２年３月ごろに配布され、そのサービスが、２００２年７月上旬に開始された（非特許文献１参照）。
【０００４】
このサービスを利用すれば、受信者は、発信者名及び発信電話番号を見て、通話をしたくないとき、電話に出ることなく、通話を拒否できる。
【特許文献１】特開２００１−３５８８３５号公報
【非特許文献１】ＮＴＴ西日本  「ネームディスプレイとは」(URL: http:/www.ntt-west.co.jp/shop/catalog/name/name-k.html)
【発明の開示】
【発明が解決しようとする課題】
【０００５】
しかしながら、発信者名及び発信電話番号が表示されても、それだけの情報では、電話に出るべきかどうか判断できない場合がある。例えば、発信者の名前をはっきり覚えていない場合や、発信者の顔を見て判断したい場合などである。
【０００６】
また、受信者がセールスの電話を受けたとき、受信者は、商品如何によっては電話に出ても良いと思うこともある。また、携帯電話においては、発信者がどこから電話をかけているかという情報も判断材料の一つになる。
【０００７】
そこで本発明は、電話に出る前に、通話を行うかどうかの判断をより的確に行うことができる電話装置を提供することを目的とする。
【課題を解決するための手段】
【０００８】
請求項１記載の電話装置は、送信元の位置情報を取得する位置情報取得手段と、位置情報取得手段が取得した位置情報を表す画像を送信先のオフフック前に、送信先へ送信する送信手段とを備える。
【０００９】
この構成により、送信元（本電話装置）の位置情報を表す画像が、送信元から送信先（相手の電話装置）へ送信される。しかも、この位置情報を表す画像は、送信先の電話装置のオフフック前に送信される。その結果、送信先の電話装置の利用者は、電話に出る前に、送信元の位置情報を確認できるため、通話を行うかどうかの判断をより的確な対応をすることができる。
【００１０】
請求項２記載の電話装置は、送信元に関する画像を記憶する記憶手段と、送信元の位置情報を取得する位置情報取得手段と、記憶手段が記憶する送信元に関する画像と位置情報取得手段が取得した位置情報を表す画像とを合成する合成手段と、合成手段が合成した画像を、送信先のオフフック前に送信先へ送信する送信手段とを備える。
【００１１】
この構成により、送信元の情報を表す画像は、送信元から送信先へ送信される。従って、送信元の本電話装置の利用者は、送信先に応じた、送信元の情報を表す任意の画像を送信できる。しかも、この送信元の情報を表す画像は、送信先の電話装置のオフフック前に送信される。その結果、送信先の電話装置の利用者は、電話に出る前に、送信元の位置情報と送信元の情報を確認できるため、通話を行うかどうかの判断をより的確に行うことができる。また、送信元の本電話装置は、送信元の情報を表す画像を送信するので、文字情報を送信する場合と比較して、送信元の情報の表現の自由度が大きい。
【００１２】
請求項３記載の電話装置では、合成手段は、位置情報取得手段が取得した位置情報を表す画像を他の画像と重なり合わないように合成する。
【００１３】
これにより、位置情報取得手段が取得した位置情報を表す画像により他の画像の表示が邪魔されないようにでき、見やすい表示形態を採ることができる。
【発明の効果】
【００１４】
本発明によれば、送信先の電話装置の利用者は、電話に出る前に、送信元の位置情報を確認できるため、通話を行うかどうかの判断をより的確な対応をすることができる。また、送信元（本電話装置）は、送信元の情報を表す画像を送信するので、文字情報を送信する場合と比較して、送信元の情報の表現の自由度が大きい。
【発明を実施するための最良の形態】
【００１５】
以下、図面を参照しながら、本発明の実施の形態を説明する。
【００１６】
（実施の形態１）
図１は、本発明の実施の形態１における電話装置のブロック図である。図１の電話装置は、テレビ電話装置であるが、本明細書にいう電話装置には、ＩＰ電話なども含まれる。
【００１７】
図１に示すように、この電話装置αは、画像入力手段１、文字入力手段２、音声入力手段３、画像表示手段４、音声出力手段５、制御手段６、送信手段７、受信手段８及び接続制御手段９を具備する。
【００１８】
送信手段７は、送信先画像記憶手段７０、送信元画像記憶手段７１、遮断通知画像記憶手段７２、画像合成手段７３、画像符号化手段７４、切替手段７５、多重化手段７６、音声符号化手段７７、切替手段７８、遮断通知音声記憶手段７９及び音声記憶手段６９を、含む。
【００１９】
受信手段８は、画像復号化手段８０、音声復号化手段８１及び分離手段８２、位置情報取得手段８３を含む。
【００２０】
さて次に、各構成の機能・動作を説明する。制御手段６は、電話装置αの各構成を制御する。
【００２１】
画像入力手段１は、被写体を撮影し、その光学像を電気信号（画像信号）に変換する。画像入力手段１は、例えば、ＣＣＤ（ｃｈａｒｇｅ  ｃｏｕｐｌｅｄ  ｄｅｖｉｃｅ）カメラである。
【００２２】
文字入力手段２は、文字情報を入力する。文字入力手段２は、例えば、押しボタンスイッチを複数配列したものから構成される。
【００２３】
音声入力手段３は、入力された音声を、電気信号（音声信号）に変換する。音声入力手段３は、例えば、マイクである。
【００２４】
画像表示手段４は、入力された画像信号に対応する画像を表示する。画像表示手段４は、例えば、ＬＣＤ（ｌｉｑｕｉｄ  ｃｒｙｓｔａｌ  ｄｉｓｐｌａｙ）である。
【００２５】
音声出力手段５は、入力された音声信号を音声に変換して外部に出力する。音声出力手段５は、例えば、スピーカである。
【００２６】
接続制御手段９は、制御手段６の指示に従って、送信手段７から入力された情報をネットワーク５０に送出し或いはネットワーク５０から入力された情報を受信手段８に出力する。
【００２７】
送信手段７について説明する。送信先画像記憶手段７０は、送信先の情報を表す画像信号を記憶する。例えば、電話装置αからの送信先となりうる電話装置の利用者の顔画像、氏名及び電話番号を記憶する。なお、送信先画像記憶手段７０は、氏名などの文字についても、画像として記憶する。
【００２８】
送信元画像記憶手段７１は、送信元の情報を表す画像信号を記憶する。送信元画像記憶手段７１は、例えば、送信元となる電話装置αの利用者の顔画像、氏名及び電話番号を記憶する。なお、送信元画像記憶手段７１は、氏名などの文字についても、画像として記憶する。
【００２９】
遮断通知画像記憶手段７２は、通話を拒否する場合に、その旨を通知するための画像信号（以下、「遮断通知画像」と呼ぶ。）を記憶する。遮断通知画像記憶手段７２は、例えば、
「間違い電話です。こちらの電話番号は、○○○です。」
という遮断通知画像を記憶する。なお、本形態では、遮断通知画像記憶手段７２は、符号化された遮断通知画像を記憶しているとする。このため、遮断通知画像の符号化処理が不要となり、処理を簡略化できる。
【００３０】
音声記憶手段６９は、送信元のみの情報を表す音声信号、送信先のみの情報を表す音声信号或いは送信元及び送信先の情報を表す音声信号を、記憶する。音声記憶手段６９は、例えば、送信元の電話装置αの利用者の氏名を表す音声を記憶したり、送信先となりうる電話装置の利用者の氏名を表す音声を記憶したり、送信元となる電話装置αの利用者の氏名及び送信先となりうる電話装置の利用者の氏名を表す音声を記憶したりする。
【００３１】
ここで、送信元のみの情報を表す音声信号、送信先のみの情報を表す音声信号並びに送信元及び送信先の情報を表す音声信号を、総括して表現する場合は、「送信元／送信先の情報を表す音声」と表現する。
【００３２】
遮断通知音声記憶手段７９は、通話を拒否する場合に、その旨を通知するための音声信号（以下、「遮断通知音声」と呼ぶ。）を記憶する。遮断通知音声記憶手段７９は、例えば、
「間違い電話です。こちらの電話番号は、○○○です。」
という遮断通知音声を記憶する。なお、本形態では、遮断通知音声記憶手段７９は、符号化された遮断通知音声を記憶しているとする。このため、遮断通知音声の符号化処理が不要となり、処理を簡略化できる。
【００３３】
画像合成手段７３は、制御手段６の指示に従って、画像入力手段１から入力された画像、送信先画像記憶手段７０から読み出された画像及び送信元画像記憶手段７１から読み出された画像のうちの、任意の組み合わせを合成する。
【００３４】
画像符号化手段７４は、制御手段６の指示に従って、画像入力手段１から入力された画像或いは画像合成手段７３が生成した合成画像を、符号化する。
【００３５】
切替手段７５は、制御手段６の指示に従って、画像符号化手段７４により符号化された画像或いは遮断通知画像記憶手段７２から読み出された画像の、いずれか一方を多重化手段７６に出力する。
【００３６】
音声符号化手段７７は、制御手段６の指示に従って、音声記憶手段６９から読み出された音声或いは音声入力手段３から入力された音声を符号化する。
【００３７】
切替手段７８は、制御手段６の指示に従って、音声符号化手段７７により符号化された音声或いは遮断通知音声記憶手段７９から読み出された音声の、いずれか一方を多重化手段７６に出力する。
【００３８】
多重化手段７６は、制御手段６の指示に従って、切替手段７５から入力された符号化画像と、切替手段７８から入力された符号化音声とを、多重化する。
【００３９】
接続制御手段９は、制御手段６の指示に従って、多重化手段７６により多重化された符号化画像及び符号化音声をネットワーク５０に送出する。
【００４０】
次に、受信手段８について説明する。分離手段８２は、制御手段６の指示に従って、接続制御手段９から入力された、多重化された符号化画像信号及び符号化音声信号を分離する。
【００４１】
画像復号化手段８０は、分離手段８２により分離された符号化画像信号を復号し、画像表示手段４へ出力する。音声復号化手段８１は、分離手段８２により分離された符号化音声信号を復号し、音声出力手段５に出力する。
【００４２】
ここで、送信先画像記憶手段７０、送信元画像記憶手段７１、遮断通知画像記憶手段７２、音声記憶手段６９及び遮断通知音声記憶手段７９については、電話装置αに内蔵することもできるし、また、外部記憶手段として構成し、電話装置αに装着或いは接続して使用することもできる。
【００４３】
また、送信先画像記憶手段７０に記憶する送信先の情報を表す画像として、画像入力手段１で撮影された画像、他の画像入力手段で撮影された画像、文字入力手段２で入力された文字情報を表す画像及び他の文字入力手段で入力された文字情報を表す画像等を、使用できる。
【００４４】
また、送信元画像記憶手段７１に記憶する送信元の情報を表す画像として、画像入力手段１で撮影された画像、他の画像入力手段で撮影された画像、文字入力手段２で入力された文字情報を表す画像及び他の文字入力手段で入力された文字情報を表す画像等を、使用できる。
【００４５】
また、遮断通知画像記憶手段７２に記憶する遮断通知画像として、文字入力手段２で入力された文字情報を表す画像及び他の文字入力手段で入力された文字情報を表す画像等を、使用できる。
【００４６】
また、音声記憶手段７１に記憶する送信元／送信先の情報を表す音声として、音声入力手段３から入力された音声及び他の音声入力手段から入力された音声等を、使用できる。
【００４７】
また、遮断通知音声記憶手段７９に記憶する遮断通知音声として、音声入力手段３から入力された音声及び他の音声入力手段から入力された音声等を、使用できる。
【００４８】
次に、送信元の位置情報を取得する位置情報取得手段８３について説明する。位置情報取得手段８３は、ＧＰＳ（Ｇｌｏｂａｌ  Ｐｏｓｉｔｉｏｎｉｎｇ  Ｓｙｓｔｅｍ）受信部から構成され、電話装置αの座標情報を取得すると共に、電話装置αの周辺地図の画像を、接続制御手段９及びネットワーク５０を介し、ネットワーク５０上のサービスセンターから取得する。取得された画像は、送信元画像記憶手段７１に格納される。
【００４９】
さて次に、全体の処理の流れを説明する。まず、図２を参照しながら、送信処理について説明する。なおこの場合、電話装置αが送信元（送信側）であるとする。
【００５０】
図２のステップＳ１にて、送信元である電話装置αがオフフックされる。
【００５１】
ステップＳ２にて、文字入力手段２から送信先の電話番号が入力される。
【００５２】
ステップＳ３にて、画像合成手段７３は、制御手段６の指示に従って、送信元の情報を表す画像を、画像入力手段１からのみ、送信元画像記憶手段７１からのみ或いは画像入力手段１及び送信元画像記憶手段７１の双方から、取得する。
【００５３】
ステップＳ４にて、画像合成手段７３は、制御手段６の指示に従って、送信先の情報を表す画像を、送信先画像記憶手段７０から取得する。
【００５４】
ステップＳ５にて、画像合成手段７３は、制御手段６の指示に従って、送信元の情報を表す画像と、送信先の情報を表す画像とを、互いに重なり合わないようにレイアウトした上で合成し、合成画像を生成する。
【００５５】
ステップＳ６にて、画像符号化手段７４は、制御手段６の指示に従って、画像合成手段７３が生成した合成画像を、符号化する。
【００５６】
そして、切替手段７５は、制御手段６の指示に従って、この符号化された合成画像を多重化手段７６に出力する。
【００５７】
一方、ステップＳ７にて、音声符号化手段７７は、制御手段６の指示に従って、送信元／送信先の情報を表す音声を音声入力手段３又は音声記憶手段６９から取得する。
【００５８】
ステップＳ８にて、音声符号化手段７７は、制御手段６の指示に従って、送信元／送信先の情報を表す音声を、符号化する。そして、切替手段７８は、制御手段６の指示に従って、この符号化された送信元／送信先の情報を表す音声を多重化手段７６へ出力する。
【００５９】
ステップＳ９にて、多重化手段７６は、制御手段６の指示に従って、符号化された合成画像と、符号化された送信元／送信先の情報を表す音声とを、多重化し、多重化信号を接続制御手段９へ出力する。
【００６０】
ステップＳ１０にて、接続制御手段９は、制御手段６の指示に従って、この多重化信号をネットワーク５０へ送出する。この多重化信号は、ネットワーク５０を介し、送信先の電話装置へ送信され、所定の処理が施されて、送信先の電話装置のオフフック前に、送信先の電話装置に表示される。この受信処理については、後に詳しく説明する。
【００６１】
ステップＳ１１にて、ネットワーク５０に接続された送信先の電話装置が、オフフックされれば、ステップＳ１２にて、通話を開始することができる。この後、画像符号化手段７４は、制御手段６の指示に従って、画像入力手段１から入力される画像を符号化する。そして、切替手段７５は、制御手段６の指示に従って、この符号化画像を多重化手段７６に出力する。
【００６２】
一方、音声符号化手段７７は、制御手段６の指示に従って、音声入力手段３から入力される音声を符号化する。そして、切替手段７８は、制御手段６の指示に従って、符号化音声を多重化手段７６に出力する。
【００６３】
多重化手段７６は、符号化画像と符号化音声とを多重化し、多重化信号として、接続制御手段９へ出力する。そして、接続制御手段９は、多重化信号をネットワーク５０に送出する。
【００６４】
さて、ステップＳ１２にて、送信先の電話装置が、オンフックのままであれば、通話を行うことができない。
【００６５】
ここで、ステップＳ３及びステップＳ４の処理の順番は、これに限定されるものではなく、また、並列処理することもできる。また、ステップＳ３からステップＳ６の処理及びステップＳ７，Ｓ８の処理、の順番はこれに限定されるものではなく、また、並列処理することもできる。また、ステップＳ１のオフフックは、ステップＳ１０の送出前に行えばよく、図２の順番に限定されない。
【００６６】
次に、図３を参照しながら、受信処理について説明する。この場合、電話装置αが送信先（受信側）であるとする。
【００６７】
図３のステップＳ２１にて、接続制御手段９は、ネットワーク５０に接続された送信元である電話装置から送信された多重化信号を受信する。
【００６８】
この多重化信号は、送信元の情報を表す画像と送信先の情報を表す画像との合成画像及び送信元／送信先の情報を表す音声とが、多重化された信号である。
【００６９】
ステップＳ２２にて、分離手段８２は、制御手段６の指示に従って、多重化信号を、送信元の情報を表す画像と送信先の情報を表す画像との合成画像と、送信元／送信先の情報を表す音声とに、分離する。
【００７０】
ステップＳ２３にて、画像復号化手段８０は、制御手段６の指示に従って、分離手段８２が分離した合成画像を復号する。一方、音声復号化手段８１は、制御手段６の指示に従って、分離手段８２が分離した送信元／送信先の情報を表す音声を復号する。ステップＳ２４にて、制御手段６の指示に従って、音声出力手段５は、呼び出し音を鳴らす。
【００７１】
ステップＳ２５にて、画像表示手段４は、制御手段６の指示に従って、復号された、送信元の情報を表す画像と送信先の情報を表す画像との合成画像を表示する。
【００７２】
ステップＳ２６にて、音声出力手段５は、制御手段６の指示に従って、復号された、送信元／送信先の情報を表す音声を出力する。
【００７３】
ステップＳ２７にて、送信先となっている電話装置αがオフフックされて、制御手段６により、通話開始の指示が出された場合は、ステップＳ２８にて、通話を開始することができる。
【００７４】
この後、ネットワーク５０に接続された送信元の電話装置が送信する画像は、接続制御手段９、分離手段８２及び画像復号化手段８０を介し、画像表示手段４に表示され、ネットワーク５０に接続された送信元の電話装置が送信する音声は、接続制御手段９、分離手段８２及び音声復号化手段８１を介し、音声出力手段５から出力される。
【００７５】
一方、ステップＳ２７にて、制御手段６により、遮断の指示が出された場合は、ステップＳ２９にて、遮断処理が実行される。
【００７６】
図４は、図３のステップＳ２９における遮断処理のフローチャートである。図４に示すように、ステップＳ２９１にて、多重化手段７６は、制御手段６の指示に従って、切替手段７５を介し、遮断通知画像記憶手段７２から、符号化された遮断通知画像を取得する。
【００７７】
ステップＳ２９２にて、多重化手段７６は、制御手段６の指示に従って、切替手段７８を介し、遮断通知音声記憶手段７９から、符号化された遮断通知音声を取得する。
【００７８】
ステップＳ２９３にて、多重化手段７６は、制御手段６の指示に従って、符号化遮断通知画像と符号化遮断通知音声とを多重化し、多重化信号を接続制御手段９に出力する。
【００７９】
ステップＳ２９４にて、電話装置αはオフフックされ、接続制御手段９は、制御手段６の指示に従って、この多重化信号をネットワーク５０に送出する。
【００８０】
これにより、送信元の電話装置には、遮断通知画像が表示され、送信元の電話装置の利用者は、遮断の理由などを知ることができる。
【００８１】
ステップＳ２９５にて、電話装置αがオンフックされ、通信が遮断される。
【００８２】
ここで、図３のステップＳ２５及びステップＳ２６の処理の順番は、これに限定されるものではなく、また、並列処理することもできる。また、呼び出し音を鳴らすのは、図３のステップＳ２３の後に限られず、受信後であればよい。また、図４のステップＳ２９１及びステップＳ２９２の処理の順番は、これに限定されるものではなく、また、並列処理することもできる。
【００８３】
さて次に、送信元の情報を表す画像及び送信先の情報を表す画像の具体例を説明する。図５（ａ）は、送信先の情報を表す画像の例示図である。図５（ａ）は、送信先の情報を表す画像として、送信先の電話装置の利用者の顔画像と、送信先の電話装置の利用者の氏名を表す画像とを、例示する。このような、送信先の情報を表す画像は、送信先画像記憶手段７０に記憶されている。
【００８４】
図５（ｂ）は、送信元の情報を表す第１の画像の例示図である。図５（ｂ）は、送信元の情報を表す第１の画像として、送信元の電話装置の利用者の顔画像を例示する。このような、送信元の情報を表す第１の画像は、送信元画像記憶手段７１に記憶されている。或いは、送信元の情報を表す第１の画像として、画像入力手段１から入力された画像を使用することもできる。
【００８５】
図５（ｃ）は、送信元の情報を表す第２の画像の例示図である。図５（ｃ）は、送信元の情報を表す第２の画像として、送信元の電話装置の利用者の氏名等を表す画像を例示する。このような、送信元の情報を表す第２の画像は、送信元画像記憶手段７１に記憶されている。
【００８６】
図５（ｄ）は、送信元の位置情報を表す第３の画像として、送信元の電話装置の利用者の現在位置と周辺地図を示す画像を例示する。このような、送信元の位置情報を表す第３の画像は、送信元画像記憶手段７１に記憶されている。
【００８７】
図５（ｆ）は、画像合成手段７３による合成画像の例示図である。図５（ｆ）は、図５（ａ）の送信先の情報を表す画像と、図５（ｂ）の送信元の情報を表す第１の画像と、図５（ｃ）の送信元の情報を表す第２の画像と、図５（ｄ）の送信元の位置情報を表す第３の画像との、合成画像を例示する。
【００８８】
図５（ｄ）に示す送信元及び送信先を表す合成画像が、送信先の電話装置のオフフックの前に、送信先の電話装置に表示されることになる。
【００８９】
さて次に、図６を参照しながら、図１の電話装置αがチップ上でどのように構成されるかを例示する。
【００９０】
図６に示すように、このチップＣには、メモリＣ１、プロセッサＣ２、バスＣ３、外部入力インタフェース（外部入力Ｉ／Ｆ）Ｃ４、画像入力インタフェース（画像入力Ｉ／Ｆ）Ｃ５、画像出力インタフェース（画像出力Ｉ／Ｆ）Ｃ６、音声入力インタフェース（音声入力Ｉ／Ｆ）Ｃ７、音声出力インタフェース（音声出力Ｉ／Ｆ）Ｃ８及びネットワークインタフェース（ネットワークＩ／Ｆ）Ｃ９が、形成される。
【００９１】
外部入力インタフェースＣ４には、入力キー５００（文字入力手段２に相当）から入力された情報が入力される。画像入力インタフェースＣ５には、カメラ６００（画像入力手段１に相当）から入力された画像信号が入力される。画像出力インタフェースＣ６からは、ディスプレイ７００（画像表示手段４に相当）に画像信号が出力される。音声入力インタフェースＣ７には、マイク８００（音声入力手段３に相当）から入力された音声信号が入力される。音声出力インタフェースＣ８からは、スピーカ９００（音声出力手段５に相当）に音声信号が出力される。ネットワークインタフェースＣ９は、通信デバイス１０００（接続制御手段９に相当）との間で、情報の入出力を行う。
【００９２】
メモリＣ１は、図１の送信先画像記憶手段７０、送信元画像記憶手段７１、遮断通知画像記憶手段７２、音声記憶手段６９及び遮断通知音声記憶手段７９として、機能する。
【００９３】
プロセッサＣ２は、図１の画像合成手段７３、画像符号化手段７４、多重化手段７６、音声符号化手段７７、切替手段７５、７８、画像復号化手段８０、音声復号化手段８１、分離手段８２、接続制御手段９及び制御手段６として、機能する。
【００９４】
なお、図６の例では、メモリＣ１については、オンチップとなっているが、チップＣにメモリインタフェースを装備して、チップＣの外部に設けることもできる。
【００９５】
以上のように、本形態では、送信元の電話装置は、送信先の電話装置のオフフックの前に、送信先の電話装置に、送信元の位置情報などを表す画像及び音声を送信する。
【００９６】
このため、送信先の電話装置では、送信元の電話装置が送信する、送信元の情報を表す画像を、オフフック前に表示できる。しかも、送信元の電話装置が送信元の情報を表す画像を送信するので（従来のように、基地局装置に予め登録された情報を送信するのではないので）、送信元の電話装置の利用者は、送信先に応じて、送信元の情報を表す画像の内容を適宜変更して送信できる。さらに、送信先の電話装置では、送信元の電話装置が送信する、送信元の情報を表す音声を、オフフック前に出力できる。その結果、送信先の電話装置の利用者は、電話に出る前に、通話を行うかどうかの判断をより的確に行うことができる。
【００９７】
また、本形態では、送信元の電話装置は、送信元の情報を表す画像を送信するので、文字情報（キャラクタコード）を送信する場合と比較して、送信元の情報の表現の自由度が大きい。同様に、送信先の情報の表現の自由度も大きい。
【００９８】
さらに、本形態では、送信元の電話装置は、送信先の電話装置のオフフックの前に、送信元の情報を表す画像及び音声に加えて、送信先の情報を表す画像及び音声を送信することもできる。従って、送信先の電話装置では、送信元の電話装置から送信された送信先の情報を表す画像及び音声をも、オフフック前に表示及び出力できる。その結果、送信先の電話装置の利用者は、電話に出る前に、間違い電話かどうかを判断できる。
【００９９】
さらに、本形態では、送信元の電話装置が送信する送信元の情報を表す画像には、送信元の電話装置の利用者の顔画像を含ませることができる。その結果、送信先において、送信元である相手方の認識がさらに容易になる。
【０１００】
さらに、本形態では、送信先の電話装置は、通話を拒否する場合は、オフフックの後に、遮断通知画像及び遮断通知音声を、送信元の電話装置へ送信し、送信元の電話装置との通信を遮断する。その結果、送信元である相手方と、会話をすることなく、通信を遮断でき、しかも、遮断通知画像及び遮断通知音声として、遮断の理由を送信元に通知できる。
【０１０１】
なお、上記の説明では、送信先の情報を表す画像と送信元の情報を表す画像との合成画像と、送信元／送信先の情報を表す音声とを、ネットワーク５０を介し、送信先の電話装置に送信している。
【０１０２】
ただし、送信先の電話装置のオフフック前に、少なくとも、送信元の情報を表す画像或いは送信元の情報を表す音声を、送信先の電話装置に送信することで、送信先の電話装置の利用者は、電話に出る前に、通話を行うかどうかの判断を的確に行うことができる。
【０１０３】
さて、上記では、送信元の電話装置が、送信先の電話装置のオフフック前に送信する情報は、画像として説明した。ただし、画像は、マルチメディア情報の一例であり、送信元の電話装置は、送信先の電話装置のオフフックの前に、様々なマルチメディア情報を送信することもできる。
【０１０４】
このため、送信先の電話装置では、送信元の電話装置が送信するマルチメディア情報に基づく情報を、オフフック前に表示できる。
【０１０５】
しかも、この場合、基地局装置に予め登録された情報を送信するのではないので、送信元の電話装置の利用者は、送信先に応じて、送信する情報の内容を適宜変更して送信できる。その結果、送信先の電話装置の利用者は、電話に出る前に、的確な対応をすることができる。
【０１０６】
送信先の電話装置のオフフックの前に送信する「マルチメディア情報」としては、例えば、静止画像情報、動画像情報、オーディオ情報、音声情報、テキスト情報、若しくは、プログラム又はこれらの組み合わせが、ある。
【０１０７】
静止画像情報としては、例えば、ＪＰＥＧ（Ｊｏｉｎｔ  Ｐｈｏｔｏｇｒａｐｈｉｃ  Ｅｘｐｅｒｔｓ  Ｇｒｏｕｐ）データ、ＧＩＦ（Ｇｒａｐｈｉｃｓ  Ｉｎｔｅｒｃｈａｎｇｅ  Ｆｏｒｍａｔ）データ、ＰＮＧ（Ｐｏｒｔａｂｌｅ  Ｎｅｔｗｏｒｋ  Ｇｒａｐｈｉｃｓ）データ、圧縮されていない生のＲＧＢデータなどが、ある。
【０１０８】
動画像情報としては、例えば、ＭＰＥＧ（Ｍｏｖｉｎｇ  Ｐｉｃｔｕｒｅ  Ｅｘｐｅｒｔｓ  Ｇｒｏｕｐ）データなどが、ある。
【０１０９】
オーディオ情報としては、例えば、３２ｋＨｚ、４４．１ｋＨｚ、４８ｋＨｚなど、サンプリング周波数が高いデータなどが、ある。
【０１１０】
音声情報としては、例えば、２０ｋＨｚまでのサンプリング周波数が低いデータなど、がある。
【０１１１】
テキスト情報としては、例えば、通常テキストデータ、ＨＴＭＬ（Ｈｙｐｅｒ  Ｔｅｘｔ  Ｍａｒｋｕｐ  Ｌａｎｇｕａｇｅ）データ、ＸＭＬ（Ｅｘｔｅｎｓｉｂｌｅ  Ｍａｒｋｕｐ  Ｌａｎｇｕａｇｅ）データなどが、ある。
【０１１２】
プログラムとしては、例えば、Ｊａｖａ（登録商標）プログラムなどが、ある。
【０１１３】
なお、プログラムは、静止画像情報、動画像情報、オーディオ情報、音声情報、テキスト情報などを、生成、加工、複合することが可能であるため、マルチメディア情報の一種と言える。
【０１１４】
ここで、マルチメディアとは、一般に、コンピュータで、映像、音声、文字などの異種類のコンテンツを複合的かつ一元的に扱う媒体のことをいう。
【産業上の利用可能性】
【０１１５】
本発明に係る電話装置は、例えば、テレビ電話装置、ＩＰ電話装置等の分野において好適に利用できる。
【図面の簡単な説明】
【０１１６】
【図１】本発明の実施の形態１における電話装置のブロック図
【図２】同送信処理のフローチャート
【図３】同受信処理のフローチャート
【図４】同遮断処理のフローチャート
【図５】（ａ）送信先画像の例示図  （ｂ）第１の送信元画像の例示図  （ｃ）第２の送信元画像の例示図  （ｄ）第３の送信元画像の例示図  （ｆ）合成画像の例示図
【図６】同チップ構成の例示図
【符号の説明】
【０１１７】
１  画像入力手段
２  文字入力手段
３  音声入力手段
４  画像表示手段
５  音声出力手段
６  制御手段
７  送信手段
８  受信手段
９  接続制御手段
８２  分離手段
８０  画像復号化手段
７３  画像合成手段
７４  画像符号化手段
７２  遮断通知画像記憶手段
７９  遮断通知音声記憶手段
７６  多重化手段
５０  ネットワーク
６９  音声記憶手段
７０  送信先画像記憶手段
７１  送信元画像記憶手段
７５、７８  切替手段
７７  音声符号化手段
８１  音声復号化手段
５００  入力キー
６００  カメラ
７００  ディスプレイ
８００  マイク
９００  スピーカ
１０００  通信デバイス
α  電話装置
Ｃ  チップ
Ｃ１  メモリ
Ｃ２  プロセッサ
Ｃ３  バス
Ｃ４  外部入力インタフェース（外部入力Ｉ／Ｆ）
Ｃ５  画像入力インタフェース（画像入力Ｉ／Ｆ）
Ｃ６  画像出力インタフェース（画像出力Ｉ／Ｆ）
Ｃ７  音声入力インタフェース（音声入力Ｉ／Ｆ）
Ｃ８  音声出力インタフェース（音声出力Ｉ／Ｆ）
Ｃ９  ネットワークインタフェース（ネットワークＩ／Ｆ）
【図１】
2006005528.tif 000003
【図２】
2006005528.tif 000004
【図３】
2006005528.tif 000005
【図４】
2006005528.tif 000006
【図５】
2006005528.tif 000007
【図６】
2006005528.tif 000008